(57)【特許請求の範囲】
【請求項１】
異なる系統の第１のアンテナと第２のアンテナとが所定の間隔で配置された無線機器上に、該所定の間隔と同一の距離だけ、該第１及び第２のアンテナから離れた位置に、干渉低減用アンテナを配置し、
前記第１又は第２のアンテナの一方から送信され、前記干渉低減用アンテナで受信される無線信号の逆相信号を逆相信号生成回路で生成し、
前記第１及び第２のアンテナと該第１及び第２のアンテナ対応の受信機との間に接続された干渉低減回路に、前記逆相信号生成回路で生成した逆相信号を出力し、
前記干渉低減回路で、送信中の系統のアンテナからの無線信号を前記逆相信号により相殺し、該送信中の系統のアンテナからの干渉を低減することを特徴とする無線送受信機の干渉低減方法。
【請求項２】
前記異なる系統の第１及び第２のアンテナを、前記無線機器上における正６角形の隣接する頂点に配置し、該正６角形の中心に前記干渉低減用アンテナを配置したことを特徴とする請求項１に記載の無線送受信機の干渉低減方法。
【請求項３】
前記干渉低減回路は、該干渉低減回路に接続されたアンテナの受信信号を、干渉低減補正信号として前記逆相信号生成回路に送出し、該逆相信号生成回路は、該干渉低減補正信号を基に信号強度を補正した逆相信号を、該干渉低減回路に出力することを特徴とする請求項１又は２に記載の無線送受信機の干渉低減方法。
【請求項４】
異なる系統の第１のアンテナと第２のアンテナとアンテナとが所定の間隔で配置された無線機器において、
前所定の間隔と同一の距離だけ、該第１及び第２のアンテナから離れた位置に配置された干渉低減用アンテナと、
前記第１又は第２のアンテナの一方から送信され、前記干渉低減用アンテナで受信される無線信号の逆相信号を生成する逆相信号生成回路と、
前記第１及び第２のアンテナと該第１及び第２のアンテナ対応の受信機との間に接続され、前記逆相信号生成回路で生成された逆相信号により、送信中の系統のアンテナからの無線信号を相殺し、該送信中の系統のアンテナからの干渉を低減する干渉低減回路と、
を備えたことを特徴とする無線機器。
【請求項５】
前記異なる系統の第１及び第２のアンテナを、前記無線機器上における正６角形の頂点の隣接する頂点に配置し、該正６角形の中心に前記干渉低減用アンテナを配置したことを特徴とする請求項４に記載の無線機器。
【請求項６】
前記干渉低減回路は、該干渉低減回路に接続されたアンテナの受信信号を、干渉低減補正信号として前記逆相信号生成回路に出力し、該逆相信号生成回路は、該干渉低減補正信号を基に信号強度を補正した逆相信号を、該干渉低減回路に出力することを特徴とする請求項４又は５に記載の無線機器。
【請求項７】
２送信ダイバーシティ及び３受信ダイバーシティの機能を有する２系統の無線送受信機のアンテナを、前記正６角形の各頂点に、それぞれ各系統のアンテナが互いに交互に配列されるよう配置したことを特徴とする請求項５又は６に記載の無線機器。
【請求項８】
２送信ダイバーシティ及び３受信ダイバーシティの機能を有する第１の系統の無線送受信機のアンテナと、２送信ダイバーシティ及び２受信ダイバーシティの機能を有する第２の系統の無線送受信機のアンテナとを、前記正６角形の各頂点に、それぞれ各系統のアンテナが互いに交互に配列されるよう配置したことを特徴とする請求項５又は６に記載の無線機器。
【請求項９】
２送信ダイバーシティ及び２受信ダイバーシティの機能を有する第１の系統の無線送受信機のアンテナと、２送信ダイバーシティ及び２受信ダイバーシティの機能を有する第２の系統の無線送受信機のアンテナとを、前記正６角形の各頂点に、それぞれ各系統のアンテナが互いに交互に配列されるよう配置したことを特徴とする請求項５又は６に記載の無線機器。
【発明の詳細な説明】
【技術分野】
【０００１】
本発明は、複数系統の無線送受信機の干渉低減方法及び無線機器に関し、特に、家庭用或いは小規模事務所等での使用に供される無線アクセス型ゲートウェイ装置等の無線機器上にアンテナが配置された複数系統の無線送受信機の干渉低減方法及び干渉低減手段を備えた無線機器に関する。
【背景技術】
【０００２】
無線アクセス型ゲートウェイ装置等の無線機器に搭載される一般的な送受信切り替え型２送信３受信の送受信機の基本回路構成例を図７に示す。同図において、ＴＲＸａ，ＴＲＸｂは送受信機、ＴＸａ，ＴＸｂは送受信機ＴＲＸａ，ＴＲＸｂ内の送信機、ＲＸａ，ＲＸｂは送受信機ＴＲＸａ，ＴＲＸｂ内の受信機、ＲＸｃは受信機、ＢＢａｂｃは送受信機ＴＲＸａ，ＴＲＸｂの変復調器及び受信機ＲＸｃの復調器、ＡＮＴａ，ＡＮＴｂ，ＡＮＴｃはそれぞれ送受信機ＴＲＸａ，ＴＲＸｂ及び受信機ＲＸｃのアンテナである。
【０００３】
送受信機ＴＲＸａ，ＴＲＸｂから同一の送信信号を送信することにより２送信ダイバーシティの送信を行う。また、送受信機ＴＲＸａ，ＴＲＸｂ及び受信機ＲＸｃで同一の受信信号を受信することにより３受信ダイバーシティの受信を行う。
【０００４】
送受信機ＴＲＸａ，ＴＲＸｂのＴＲＸａＢＰＦ，ＴＲＸｂＢＰＦは送受信帯域通過フィルタ、ＳＷａ，ＳＷｂは送受信切り替えスイッチである。受信機ＲＸａ，ＲＸｂ，ＲＸｃにおいて、ＬＮＡａ，ＬＮＡｂ，ＬＮＡｃは低ノイズ増幅器、ＲＸａＢＰＦ，ＲＸｂＢＰＦ，ＲＸｃＢＰＦは受信帯域通過フィルタ、ＲＸａＭＩＸ，ＲＸｂＭＩＸ，ＲＸｃＭＩＸは受信回路ミキサ、ＲＸａＩＦＢＰＦ，ＲＸｂＩＦＢＰＦ，ＲＸｃＩＦＢＰＦは受信中間周波数帯域通過フィルタである。
【０００５】
送信機ＴＸａ，ＴＸｂにおいて、ＴＸａＩＦＢＰＦ，ＴＸｂＩＦＢＰＦは送信中間周波数帯域通過フィルタ、ＴＸａＭＩＸ，ＴＸｂＭＩＸは送信回路ミキサ、ＴＸａＢＰＦ，ＴＸｂＢＰＦは送信帯域通過フィルタ、ＰＡａ，ＰＡｂは送信増幅器である。ＣＬＫａ，ＣＬＫｂ，ＣＬＫｃは搬送波クロック信号である。
【０００６】
家庭用或いは小規模事務所等で使用される無線アクセス型ゲートウェイ装置等の無線機器は、機能集約と構造の小型化が求められ、例えば０．１ｋｍ〜５ｋｍ程度離れた屋外の無線機器と送受信する近距離無線アクセス通信系統のアンテナと、例えば０．１ｍ〜３００ｍ程度離れた屋内又は屋外の無線機器と送受信する短距離無線通信系統のアンテナとを密接させて設置しなければならない場合があり、図７に示した１系統の送受信機のアンテナを少なくとも２系統分、近接させて設置しなければならない場合がある。
【０００７】
２系統の送受信機のアンテナを無線アクセス型ゲートウェイ装置等の無線機器に近接して配置した場合、一方の系統の送信信号が他方の系統の受信信号の干渉信号として作用するため、この干渉信号をいかに低減するかが問題となる。特に、近距離無線アクセス通信は、通信距離を延ばすために短距離無線通信に比べて遥かに大きい送信電力（例．２０ｄＢ以上）で送信するため、短距離無線通信系統の送受信帯域通過フィルタＴＲＸａＢＰＦ，ＴＲＸｂＢＰＦ及び受信帯域通過フィルタＲＸｃＢＰＦで干渉信号の阻止が十分でない（例．２０ｄＢ以下）の場合、近距離無線アクセス通信系統の信号が短距離無線通信系統の低ノイズ増幅器ＬＮＡａ，ＬＮＡｂ，ＬＮＡｃに干渉信号として入力され、該増幅器の性能を相対的に低下させてしまう。
【０００８】
図８に干渉信号が帯域通過フィルタで阻止される態様を示している。アンテナＡＮＴａに、希望信号に比べて受信電力がそれほど大きくない干渉信号が受信されても、送受信帯域通過フィルタＴＲＸａＢＰＦで干渉信号が除去され、低ノイズ増幅器ＬＮＡａに希望信号のみを入力させることができる。
【０００９】
一方、図９に干渉信号が帯域通過フィルタで阻止されない態様を示す。同図に示すように、アンテナＡＮＴａに、希望信号に比べて受信電力が相当大きい干渉信号が受信されると、送受信帯域通過フィルタＴＲＸａＢＰＦで干渉信号を十分に除去することができず、低ノイズ増幅器ＬＮＡａに希望信号と干渉信号とが入力されてしまう。
【００１０】
２系統の送受信機の干渉を低減する先行技術として、下記の特許文献１には、送受信中間周波数が重なる場合や受信中間周波数が受信回路内の復調器の局所発振回路の高調波と重なる場合、送信回路と受信回路、及び受信回路同士の干渉の影響を低減するために、送受信チャンネル及び／又は受信チャネルが選択されたか否かの判定結果に応じて、複数の局所発振回路の内、所定の局所発振回路の発振周波数を制御することで、送信回路と受信回路、受信回路同士の干渉の影響を低減する送受信機が記載されている。
【００１１】
また、下記の特許文献２には、受信された信号のレベルに応じて屋外ユニットと屋内ユニットとの間の通信用のサブキャリア送信レベルを変化させる信号レベル検波器及びサブキャリア用利得制御器を備え、屋外ユニットから屋内ユニットに同軸ケーブルを介して主信号及びサブキャリアを送信する際に、Ｄ／Ｕ（希望信号対干渉信号比）を一定にすることにより、信号間の干渉を少なくするようにした無線受信装置について記載されている。
【００１２】
また、下記の特許文献３には、屋内及び屋外で用いる端末局アンテナの垂直面内放射パターンのほぼ水平方向にヌル点を成形することにより、屋外におけるビルの壁面、屋内における壁、床、天井からの長遅延の干渉波のレベルを低減し、マルチパスフェージングを低減させ、誤り率（ＢＥＲ）、Ｄ／Ｕ（希望波と干渉波の比）を改善した無線通信装置について記載されている。
【特許文献１】特開２０００−５９２５９号公報
【特許文献２】特開平８−４６５４２号公報
【特許文献３】特開２００１−１９６９８５号公報
【発明の開示】
【発明が解決しようとする課題】
【００１３】
前述したように、２系統の送受信機のアンテナを近接して配置した場合、一方の系統の送信信号が他方の系統の受信信号に干渉信号として作用するが、２系統の送受信機の送信信号が互いに他方に干渉を与えないようにするには、双方が同時に送信しないように、時分割的に固定的な送信タイミングを割り当てるか、或いは送信権の調停処理を行うなどの送信制御を行えばよいが、一般に、近距離無線アクセス通信系統と短距離無線通信系統などのように、２系統の送受信機が互いに独立した通信方式のものである場合、それらの既存の通信方式の無線回路に変更を加えることは困難であり、また、時分割的に固定的に送信タイミングを割り当てる或いは送信権の調停処理を行うことによって、送信損失が生じ、該損失分による通信効率の低下が生じてしまう。
【００１４】
また、希望信号に比べて大幅にレベルが大きい干渉信号の影響を取り除く場合、無線回路のフィルタ減衰部の減衰度を増加させ、或いは低ノイズ増幅器の増幅性能を通常より余裕の有る高価な回路にするなどの回路変更を行う必要があり、簡単に実施することはできない。
【００１５】
本発明は、複数系統の無線送受信機間の干渉信号を、各無線送受信機内部の回路構成に変更を加えることなく、簡易な構成で系統の異なる送受信機間の干渉信号を低減することができる複数系統の無線送受信機の干渉低減方法及び無線機器を提供する。
【課題を解決するための手段】
【００１６】
本発明の複数系統の無線送受信機の干渉低減方法は、少なくとも２系統の無線送受信機のアンテナを無線機器上に配置し、系統の異なる無線送受信機のアンテナ間の距離と同一の距離だけ、それぞれの系統の異なる無線送受信機のアンテナから離れた位置に干渉低減用アンテナを配置し、前記各系統の無線送受信機のアンテナと、該アンテナで無線信号を受信する無線送受信機との間に干渉低減回路を接続し、前記干渉低減用アンテナに逆相信号生成回路を接続し、該干渉低減用アンテナで受信された受信信号の逆相信号を該逆相信号生成回路で生成し、該逆相信号を前記各アンテナに接続された各干渉低減回路に出力することを第１の特徴とする。
【００１７】
系統の異なる無線送受信機のアンテナ間の距離と同一の距離だけ、それぞれの系統の異なる無線送受信機のアンテナから離れた位置に干渉低減用アンテナを配置しているため、干渉低減用アンテナには、各系統のアンテナで受信される干渉信号と同一強度の干渉信号が受信され、干渉低減用アンテナで受信された干渉信号の逆相信号を、各アンテナに接続された各干渉低減回路に出力することで干渉を低減することができる。
【００１８】
また、前記無線送受信機の各アンテナを、前記無線機器上における正６角形の各頂点に配置し、該正６角形の中心に前記干渉低減用アンテナを配置したことを第２の特徴とする。こうすることにより、干渉低減用アンテナを、系統の異なる無線送受信機のアンテナ間の距離と同一の距離だけ、それぞれの系統の異なる無線送受信機のアンテナから離れた位置に配置することができる。
【００１９】
また、前記各アンテナに接続された干渉低減回路は、該アンテナで受信された受信信号を干渉低減補正信号として前記逆相信号生成回路に出力し、該逆相信号生成回路は、該干渉低減補正信号を基に前記アンテナ毎に前記逆相信号の信号強度を補正して前記各アンテナに接続された各干渉低減回路に出力することを第３の特徴とする。
【００２０】
干渉信号は、干渉低減用アンテナのみならず、送受信機の各アンテナにも受信され、また、送受信機の各アンテナは、それぞれ複数の送信アンテナから信号強度の異なる干渉信号を受信する。そこで、各アンテナで受信された受信信号を干渉低減補正信号として前記逆相信号生成回路に出力し、該逆相信号生成回路では、該干渉低減補正信号を基に前記アンテナ毎に前記逆相信号の信号強度を補正して各干渉低減回路に出力することにより、各アンテナ対応の信号強度の逆相信号を加えて干渉低減を行うことが可能となる。
【００２１】
また、無線機器は、少なくとも２系統の無線送受信機のアンテナと干渉低減用アンテナとが配置され、前記干渉低減用アンテナは、系統の異なる無線送受信機のアンテナ間の距離と同一の距離だけ、それぞれの系統の異なる無線送受信機のアンテナから離れた位置に配置され、前記各系統の無線送受信機のアンテナと、該アンテナで無線信号を受信する無線送受信機との間に接続した干渉低減回路と、前記干渉低減用アンテナに接続した逆相信号生成回路とを備えた無線機器であって、前記逆相信号生成回路は前記干渉低減用アンテナで受信された受信信号の逆相信号を生成し、該逆相信号を前記各アンテナに接続された各干渉低減回路に出力する構成を有することを特徴とする。
【発明の効果】
【００２２】
本発明によれば、系統の異なる無線送受信機のアンテナ間の距離と同一の距離だけ、それぞれの系統の異なる無線送受信機のアンテナから離れた位置に干渉低減用アンテナを配置し、各無線送受信機とアンテナとの間に干渉低減回路挿入し、干渉低減アンテナＡＮＴｇと逆相信号生成回路とを設けることにより、複数系統の無線送受信機間の干渉信号を、各無線送受信機内部の回路構成に変更を加えることなく、簡易な構成で系統の異なる送受信機間の干渉信号を低減することができる。
【発明を実施するための最良の形態】
【００２３】
２送信ダイバーシティ及び３受信ダイバーシティの機能を有する無線送受信機を２系統分、無線アクセスホームゲートウェイ装置等の小型の無線機器に搭載した場合の各アンテナの配置を図１に示す。同図において、ＡＮＴａ，ＡＮＴｂは第１の系統の送受信機の送受信アンテナ、ＡＮＴｃは第１の系統の送受信機の受信アンテナ、ＡＮＴｄ，ＡＮＴｅは第２の系統の送受信機の送受信アンテナ、ＡＮＴｆは第２の系統の送受信機の受信アンテナである。また、ＡＮＴｇは干渉低減用アンテナである。
【００２４】
図１に示すように、第１の系統の送受信機のアンテナＡＮＴａ，ＡＮＴｂ，ＡＮＴｃと第２の系統の送受信機のアンテナＡＮＴｄ，ＡＮＴｅ，ＡＮＴｆを、無線アクセスホームゲートウェイ装置等の無線機器上の正六角形の各頂点上に配置し、かつ、第１の系統の送受信機の各アンテナＡＮＴａ，ＡＮＴｂ，ＡＮＴｃに第２の系統の送受信機の各アンテナＡＮＴｄ，ＡＮＴｅ，ＡＮＴｆが隣接するように交互に配列して配置する。そして、正六角形の中心に干渉低減用アンテナＡＮＴｇを配置する。正六角形の１辺の長さは、該アンテナで使用される無線周波数信号の波長の０．１〜１０倍の長さとする。
【００２５】
例えば、第１の系統の送受信機が送信中で第２の系統の送受信機が受信中のときに、第１の系統の送受信機のアンテナＡＮＴａの送信信号は、隣接する第２の系統の送受信機のＡＮＴｆ，ＡＮＴｅと干渉低減用アンテナＡＮＴｇとに同一の信号強度で受信される。同様に第１の系統の送受信機のアンテナＡＮＴｂの送信信号は、隣接する第２の系統の送受信機のＡＮＴｆ，ＡＮＴｄと干渉低減用アンテナＡＮＴｇとに同一の信号強度で受信される。このときの干渉低減用アンテナＡＮＴｇでの受信信号を基準として、第２の系統のアンテナＡＮＴｆ，ＡＮＴｄ，ＡＮＴｅにおける第１の系統のアンテナＡＮＴａ，ＡＮＴｂからの送信信号を逆相信号で相殺する。
【００２６】
上記の構成により、系統の異なる無線送受信機のアンテナ間の距離と同一の距離だけ、それぞれの系統の異なる無線送受信機のアンテナから離れた位置に干渉低減用アンテナが配置されるため、干渉低減用アンテナには、各系統のアンテナで受信される干渉信号と同一強度の干渉信号が受信され、干渉低減用アンテナで受信された干渉信号の逆相信号を、各アンテナに接続された各干渉低減回路に出力することで干渉を低減することができる。
【００２７】
次に、２送信ダイバーシティ及び３受信ダイバーシティの機能を有する第１の系統の送受信機と、２送信ダイバーシティ及び２受信ダイバーシティの機能を有する第２の系統の送受信機とを、無線アクセスホームゲートウェイ装置等の小型の無線機器に搭載した場合の各アンテナの配置を図２に示す。
【００２８】
同図において、ＡＮＴａ，ＡＮＴｂは第１の系統の送受信機の送受信アンテナ、ＡＮＴｃは第１の系統の送受信機の受信アンテナ、ＡＮＴｄ，ＡＮＴｅは第２の系統の送受信機の送受信アンテナである。また、ＡＮＴｇは干渉低減用アンテナである。
【００２９】
この場合も図２に示すように、第１の系統の送受信機のアンテナＡＮＴａ，ＡＮＴｂ，ＡＮＴｃと第２の系統の送受信機のアンテナＡＮＴｄ，ＡＮＴｅを、無線機器上の正六角形の各頂点上に配置し、かつ、第１の系統の送受信機の各アンテナＡＮＴａ，ＡＮＴｂ，ＡＮＴｃに第２の系統の送受信機の各アンテナＡＮＴｄ，ＡＮＴｅが隣接するように、第１の系統の送受信機の各アンテナＡＮＴａ，ＡＮＴｂ，ＡＮＴｃの間に第２の系統の送受信機のアンテナＡＮＴｄ，ＡＮＴｅを交互に配列して配置する。そして、正六角形の中心に干渉低減用アンテナＡＮＴｇを配置する。正六角形の１辺の長さは、該アンテナで使用される無線周波数信号の波長の０．１〜１０倍の長さとする。
【００３０】
図２において、例えば第１系統が送信中で、第２の系統が受信中のときに、第１系統のアンテナＡＮＴａの送信信号は、第２の系統のアンテナＡＮＴｅと干渉低減用アンテナＡＮＴｇとに同一の信号強度で受信される。同様に第１の系統のアンテナＡＮＴｂの送信信号は、第２の系統のアンテナＡＮＴｄと干渉低減用アンテナＡＮＴｇとに同一の信号強度で受信される。このときの干渉低減用アンテナＡＮＴｇでの信号を基準として、第２の系統のアンテナＡＮＴｄ，ＡＮＴｅにおける第１の系統のアンテナＡＮＴａ，ＡＮＴｂからの送信信号を逆相信号で相殺する。
【００３１】
次に、２送信ダイバーシティ及び２受信ダイバーシティの機能を有する無線送信機を２系統分、無線アクセスホームゲートウェイ装置等の小型の無線機器に搭載した場合の、各無線送信機のアンテナの配置を図３に示す。同図において、ＡＮＴａ，ＡＮＴｂは第１の系統の送受信機の送受信アンテナ、ＡＮＴｄ，ＡＮＴｅは第２の系統の送受信機の送受信アンテナである。また、ＡＮＴｇは干渉低減用アンテナである。
【００３２】
この場合も図３に示すように、第１の系統の送受信機のアンテナＡＮＴａ，ＡＮＴｂと第２の系統の送受信機のアンテナＡＮＴｄ，ＡＮＴｅを、無線アクセスホームゲートウェイ装置等の無線機器上の正六角形の各頂点上に配置し、かつ、第１の系統の送受信機の各アンテナＡＮＴａ，ＡＮＴｂに第２の系統の送受信機のアンテナＡＮＴｄ，ＡＮＴｅのそれぞれが隣接するように配置する。そして、正六角形の中心に干渉低減用アンテナＡＮＴｇを配置する。正六角形の１辺の長さは、該アンテナで使用される無線周波数信号の波長の０．１〜１０倍の長さとする。
【００３３】
図３において、例えば第１の系統が送信中で、第２の系統が受信中のときに、第１の系統のアンテナＡＮＴａの送信信号は、第２の系統のアンテナＡＮＴｅと干渉低減用アンテナＡＮＴｇとに同一信号強度で受信される。同様に第１の系統のアンテナＡＮＴｂの送信信号は、第２の系統のアンテナＡＮＴｄと干渉低減用アンテナＡＮＴｇとに同一信号強度で受信される。このときの干渉低減用アンテナＡＮＴｇでの信号を基準として、第２の系統のアンテナＡＮＴｄ，ＡＮＴｅにおける第１の系統のアンテナＡＮＴａ，ＡＮＴｂからの送信信号を逆相信号で相殺する。
【００３４】
２系統の２送信ダイバーシティ及び３受信ダイバーシティの機能を有する無線送受信機との各アンテナと干渉低減用アンテナの接続構成を図４に示す。同図に示すように、各無線送受信機の各アンテナＡＮＴａ，ＡＮＴｂ，ＡＮＴｃ，ＡＮＴｄ，ＡＮＴｅ，ＡＮＴｆの受信側に干渉低減回路４−１を接続し、干渉低減用アンテナＡＮＴｇに受信信号の逆相信号生成回路４−２を接続する。
【００３５】
各無線送受信機の送信機から送信された無線信号は、干渉低減用アンテナＡＮＴｇ及び各無線送受信機アンテナＡＮＴａ，ＡＮＴｂ，ＡＮＴｃ，ＡＮＴｄ，ＡＮＴｅ，ＡＮＴｆの非送信のアンテナで受信される。各アンテナＡＮＴａ，ＡＮＴｂ，ＡＮＴｃ，ＡＮＴｄ，ＡＮＴｅ，ＡＮＴｆの受信側に接続された干渉低減回路４−１は、受信した信号を逆相信号生成回路４−２へ干渉低減補正信号（Ｉ）として出力する。
【００３６】
逆相信号生成回路４−２は、干渉低減用アンテナＡＮＴｇで受信された干渉信号の逆相信号を生成し、各干渉低減回路４−１から入力された干渉低減補正信号（Ｉ）を基に、各アンテナ対応に該逆相信号の信号強度を補正した干渉低減信号（II）を、各アンテナＡＮＴａ，ＡＮＴｂ，ＡＮＴｃ，ＡＮＴｄ，ＡＮＴｅ，ＡＮＴｆの干渉低減回路４−１に出力する。
【００３７】
送受信の切り替えを行う無線送受信機のアンテナＡＮＴａ，ＡＮＴｂ，ＡＮＴｄ，ＡＮＴｅに接続する干渉低減回路４−１には、送信信号と受信信号とを分離する方向性結合器ｃａ１，ｃａ２，ｃｂ１，ｃｂ２，ｃｄ１，ｃｄ２，ｃｅ１，ｃｅ２を介在させて、アンテナと送受信機との間に接続する。干渉低減回路４−１は受信信号の経路にのみ配置する。
【００３８】
なお、干渉低減回路４−１と逆相信号生成回路４−２との間は、図示していないが有線の信号線で接続し、干渉低減補正信号（Ｉ）及び干渉低減信号（II）は、該有線の信号線を介して送受される。以下の実施形態においても同様である。
【００３９】
各アンテナＡＮＴａ，ＡＮＴｂ，ＡＮＴｃ，ＡＮＴｄ，ＡＮＴｅ，ＡＮＴｆの干渉低減用回路４−１は、各無線送受信機と各アンテナとの間に挿入する形で接続し、本発明の他の構成要素である干渉低減用アンテナＡＮＴｇ及び逆相信号生成回路４−２は、各無線送受信機とは独立して設けられるため、各無線送受信機の内部の回路構成の変更や接続変更はない。
【００４０】
次に、２送信ダイバーシティ及び３受信ダイバーシティの機能を有する第１の系統の無線送受信機と２送信ダイバーシティ及び２受信ダイバーシティの機能を有する第２の系統の無線送受信機と干渉低減用アンテナとの接続構成を図５に示す。
【００４１】
同図に示すように、各無線送受信機の各アンテナＡＮＴａ，ＡＮＴｂ，ＡＮＴｃ，ＡＮＴｄ，ＡＮＴｅの受信側に干渉低減回路４−１を接続し、干渉低減用アンテナＡＮＴｇに受信信号の逆相信号生成回路４−２を接続する。各アンテナＡＮＴａ，ＡＮＴｂ，ＡＮＴｃ，ＡＮＴｄ，ＡＮＴｅの受信側に接続された干渉低減回路４−１は、受信した信号を逆相信号生成回路４−２へ干渉低減補正信号（Ｉ）として出力する。
【００４２】
逆相信号生成回路４−２は、干渉低減用アンテナＡＮＴｇで受信された干渉信号の逆相信号を生成し、各干渉低減回路４−１から入力された干渉低減補正信号（Ｉ）を基に、各アンテナ対応に該逆相信号の信号強度を補正した干渉低減信号（II）を、各アンテナＡＮＴａ，ＡＮＴｂ，ＡＮＴｃ，ＡＮＴｄ，ＡＮＴｅの干渉低減回路４−１に出力する。
【００４３】
送受信の切り替えを行う無線送受信機のアンテナＡＮＴａ，ＡＮＴｂ，ＡＮＴｄ，ＡＮＴｅに接続する干渉低減回路４−１には、送信信号と受信信号とを分離する方向性結合器ｃａ１，ｃａ２，ｃｂ１，ｃｂ２，ｃｄ１，ｃｄ２，ｃｅ１，ｃｅ２を介在させて、アンテナと送受信機との間に接続する。干渉低減回路４−１は受信信号の経路にのみ配置する。
【００４４】
次に、２送信ダイバーシティ及び２受信ダイバーシティの機能を有する第１の系統の無線送受信機と２送信ダイバーシティ及び２受信ダイバーシティの機能を有する第２の系統の無線送受信機と干渉低減用アンテナとの接続構成を図６に示す。
【００４５】
同図に示すように、各無線送受信機の各アンテナＡＮＴａ，ＡＮＴｂ，ＡＮＴｄ，ＡＮＴｅの受信側に干渉低減回路４−１を接続し、干渉低減用アンテナＡＮＴｇに受信信号の逆相信号生成回路４−２を接続する。各アンテナＡＮＴａ，ＡＮＴｂ，ＡＮＴｄ，ＡＮＴｅの受信側に接続された干渉低減回路４−１は、受信した信号を逆相信号生成回路４−２へ干渉低減補正信号（Ｉ）として出力する。
【００４６】
逆相信号生成回路４−２は、干渉低減用アンテナＡＮＴｇで受信された干渉信号の逆相信号を生成し、各干渉低減回路４−１から入力された干渉低減補正信号（Ｉ）を基に、各アンテナ対応に該逆相信号の信号強度を補正した干渉低減信号（II）を、各アンテナＡＮＴａ，ＡＮＴｂ，ＡＮＴｄ，ＡＮＴｅの干渉低減回路４−１に出力する。
【００４７】
送受信の切り替えを行う無線送受信機のアンテナＡＮＴａ，ＡＮＴｂ，ＡＮＴｄ，ＡＮＴｅに接続する干渉低減回路４−１には、送信信号と受信信号とを分離する方向性結合器ｃａ１，ｃａ２，ｃｂ１，ｃｂ２，ｃｄ１，ｃｄ２，ｃｅ１，ｃｅ２を介在させて、アンテナと送受信機との間に接続する。干渉低減回路４−１は受信信号の経路にのみ配置する。
【００４８】
図５及び図６に示した実施形態においても、各アンテナの干渉低減用回路４−１は、各無線送受信機と各アンテナとの間に配置して接続し、他の構成要素である干渉低減用アンテナＡＮＴｇ及び逆相信号生成回路４−２は、各無線送受信機と独立に設けることができるため、各無線送受信機の内部の回路構成の変更や接続変更はない。
【図面の簡単な説明】
【００４９】
【図１】２送信３受信の２系統分の送受信機の各アンテナの搭載配置を示す図である。
【図２】２送信３受信の第１系統の送受信機と２送信２受信の第２系統の送受信機の各アンテナの搭載配置を示す図である。
【図３】２送信２受信の第１系統の送受信機と２送信２受信の第２系統の送受信機の各アンテナの搭載配置を示す図である。
【図４】２送信３受信の２系統分の送受信機の各アンテナと干渉低減用アンテナの接続構成を示す図である。
【図５】２送信３受信の第１系統の送受信機と２送信２受信の第２系統の送受信機の各アンテナと干渉低減用アンテナの接続構成を示す図である。
【図６】２送信２受信の第１系統の送受信機と２送信２受信の第２系統の送受信機の各アンテナと干渉低減用アンテナの接続構成を示す図である。
【図７】２送信３受信の送受信機の基本回路構成例を示す図である。
【図８】干渉信号がフィルタで阻止される態様を示す図である。
【図９】出力の大きい干渉信号がフィルタで阻止されない態様を示す図である。
【符号の説明】
【００５０】
ＡＮＴａ，ＡＮＴｂ，ＡＮＴｃ  第１の系統の送受信機のアンテナ
ＡＮＴｄ，ＡＮＴｅ，ＡＮＴｆ  第２の系統の送受信機のアンテナ
ＡＮＴｇ  干渉低減用アンテナ
４−１  干渉低減回路
４−２  逆相信号生成回路
【図１】
0004838205.tif 000002
【図２】
0004838205.tif 000003
【図３】
0004838205.tif 000004
【図４】
0004838205.tif 000005
【図５】
0004838205.tif 000006
【図６】
0004838205.tif 000007
【図７】
0004838205.tif 000008
【図８】
0004838205.tif 000009
【図９】
0004838205.tif 000010